(57)【要約】【課題】  本発明は、広告提供装置及び広告提供方法に関し、例えば電話回線を介して広告を提供する場合に適用して、広告の試聴を条件に通信費用を軽減するシステムに関して、一般家庭の電話、携帯電話等からでも簡易な操作によりこのシステムを利用することができるようにする。【解決手段】  本発明は、相手電話番号に所定の番号が付加されている場合に広告を提供し、この広告の試聴を条件に相手電話番号に係る回線を接続して費用の一部を負担する。【選択図】        図１
2005159590.tif 000002
【特許請求の範囲】
【請求項１】
広告の情報を保持するサーバーと、
電話機からの回線接続要求に係る電話番号を解析して回線を接続する制御手段とを備え、
前記制御手段は、
前記電話機からの回線接続要求に係る電話番号に広告の提供を指示する広告番号が付加されている場合、前記サーバーに保持した広告の情報を前記電話機に提供した後、前記回線接続要求に係る回線を接続し、前記電話機のユーザーに対する通話の費用を低減する
ことを特徴とする広告提供装置。
【請求項２】
前記サーバーは、
前記広告の情報を複数種類保持し、
前記制御手段は、
前記広告番号に応じて、対応する広告の情報を前記サーバーより取得して前記電話機に提供する
ことを特徴とする請求項１に記載の広告提供装置。
【請求項３】
電話機からの回線接続要求に係る電話番号に広告の提供を指示する広告番号が付加されている場合、前記電話機に広告を提供した後、前記回線接続要求に係る回線を接続し、前記電話機のユーザーに対する通話の費用を低減する
ことを特徴とする広告提供方法。
【発明の詳細な説明】
【技術分野】
【０００１】
本発明は、広告提供装置及び広告提供方法に関し、例えば電話回線を介して広告を提供する場合に適用することができる。本発明は、相手電話番号に所定の番号が付加されている場合に広告を提供し、この広告の試聴を条件に相手電話番号に係る回線を接続して費用の一部を負担することにより、広告の試聴を条件に通信費用を軽減するシステムに関して、一般家庭の電話、携帯電話等からでも簡易な操作によりこのシステムを利用することができるようにする。
【背景技術】
【０００２】
従来、一般家庭の電話、携帯電話等においては、通話を開始してから通話が終了するまでの通話時間がカウントされ、通話の終了によりこのカウントした通話時間に応じた通話料金が課金されるようになされている。
【０００３】
また公共施設等に設置される特定の公衆電話機においては、広告の視聴を条件に一定期間の間、無料で通話できるいわゆる無料通話サービスが提供されるようになされている。
【０００４】
ところでこのような無料通話を一般家庭の電話、携帯電話等でも利用できれば、便利であると考えられる。
【０００５】
この問題を解決する一つの方法として例えば特許第３３１５９６６号の方法を採用することが考えられる。しかしながら特許第３３１５９６６号においては、広告の視聴を条件に専ら着信側の通信費用を軽減するものであり、さらにはユーザー登録して広告を事前にダウンロードする必要があり、これにより特許第３３１５９６６号の方法においては、ユーザーによる操作が煩雑な問題がある。
【０００６】
なお特許第３３１５９６６号により提供される広告にあっては、広告主側が一方的に提供するものであり、これにより広告の提供を受ける側にしてみれば、興味のない広告を無理やり視聴する場合も考えられる。
【特許文献１】特許第３３１５９６６号
【発明の開示】
【発明が解決しようとする課題】
【０００７】
本発明は以上の点を考慮してなされたもので、広告の試聴を条件に通信費用を軽減するシステムに関して、一般家庭の電話、携帯電話等からでも簡易な操作によりこのシステムを利用することができる広告提供装置及び広告提供方法を提案しようとするものである。
【課題を解決するための手段】
【０００８】
かかる課題を解決するため請求項１の発明においては、広告提供装置に適用して、広告の情報を保持するサーバーと、電話機からの回線接続要求に係る電話番号を解析して回線を接続する制御手段とを備え、制御手段は、電話機からの回線接続要求に係る電話番号に広告の提供を指示する広告番号が付加されている場合、サーバーに保持した広告の情報を電話機に提供した後、回線接続要求に係る回線を接続し、電話機のユーザーに対する通話の費用を低減する。
【０００９】
また請求項３の発明においては、広告提供方法に適用して、電話機からの回線接続要求に係る電話番号に広告の提供を指示する広告番号が付加されている場合、電話機に広告を提供した後、回線接続要求に係る回線を接続し、電話機のユーザーに対する通話の費用を低減する。
【００１０】
請求項１の構成によれば、電話機からの回線接続要求に係る電話番号に広告の提供を指示する広告番号が付加されている場合、サーバーに保持した広告の情報を電話機に提供した後、回線接続要求に係る回線を接続し、電話機のユーザーに対する通話の費用を低減することにより、広告番号を付加して電話番号を通知するだけで、通話の費用を軽減して通話することができ、これにより広告の試聴を条件に通信費用を軽減するシステムに関して、一般家庭の電話、携帯電話等からでも簡易な操作によりこのシステムを利用することができる。
【００１１】
これにより請求項３の構成によれば、広告の試聴を条件に通信費用を軽減するシステムに関して、一般家庭の電話、携帯電話等からでも簡易な操作によりこのシステムを利用することができる広告提供方法を提供することができる。
【発明の効果】
【００１２】
本発明によれば、広告の試聴を条件に通信費用を軽減するシステムに関して、一般家庭の電話、携帯電話等からでも簡易な操作によりこのシステムを利用することができる。
【発明を実施するための最良の形態】
【００１３】
以下、適宜図面を参照しながら本発明の実施例を詳述する。
【実施例１】
【００１４】
（１）実施例の構成
図２は、本発明の実施例に係る広告提供システムである通話システムを示すブロック図である。この通話システム１は、通話前に広告を視聴することを条件に携帯電話２Ａ、２Ｂの通信費用を軽減する。なお携帯電話２Ａ、２Ｂは、同一に構成されることにより、以下においては、携帯電話２Ｂについての説明は省略する。
【００１５】
ここで携帯電話２Ａは、交換機３を介して所望の通信対象と通話し、またインターネットにアクセスして各種の情報をユーザーに提供するようになされている。このため携帯電話２Ａは、無線通信により交換機３に接続する通信手段、通話に係る音声入出力手段、インターネットの各種ホームページを表示する画像表示手段等を有し、これらの構成のうち、音声出力手段、画像表示手段を用いて交換機３から提供される広告をユーザーに通知する。
【００１６】
すなわち携帯電話２Ａは、ユーザーによる操作に応動して交換機３に接続し、ユーザーにより入力された電話番号を交換機３に通知する。またこの通知に応動した交換機３の処理により通話対象との間で回線が接続されると、この携帯電話２Ａに係るユーザーの音声をマイクによる音声入力手段より取得して音声データを通話対象に送出する。またこれとは逆に交換機３から通知される通話対象からの音声データをスピーカによる音声出力手段より音声出力する。これにより携帯電話２Ａは、所望の通話対象との間で通話できるようになされている。
【００１７】
携帯電話２Ａは、このような一連の処理において、通信対象との間で回線が接続されるまでの間に、交換機３より提供される接続状況に係る音声データにより、例えば話中、呼び出し中等を示す信号音を音声出力手段より出力する。
【００１８】
この実施例では、このような接続の際に、ユーザーにより入力された番号に応じて交換機３から広告が提供され、携帯電話２Ａにおいては、通常の電話に係る処理と同様に、この交換機３から提供される各種の情報をユーザーに提供することにより、交換機３から提供される広告をユーザーに提供するようになされている。
【００１９】
すなわち携帯電話２Ａにおいては、このような広告が音声データによるものの場合、話中、呼び出し中等を示す信号音に代えて、この音声データによる音声をユーザーに通知し、これによりこの音声データによる広告をユーザーに通知する。またこの広告においては、音声データ以外に、インターネットより提供される各種の情報に対応するテキストデータ、画像データ（静止画データ、動画データ）等をも含むように形成され、携帯電話２Ａにおいては、このようにテキストデータ、画像データを含む広告にあっては、インターネットへのアクセスに供するブラウザを起動して液晶表示パネルによる画像表示手段で表示することにより、これらの広告をユーザーに提供する。
【００２０】
これらにより携帯電話２Ａは、ユーザーにより広告の提供を指示する番号（以下、広告番号と呼ぶ）が付加されて通話相手の電話番号が入力された場合、この広告番号に対応する交換機３の処理により交換機３から提供される広告をユーザーに提供するようになされている。
【００２１】
これに対応して交換機３は、携帯電話における公衆回線網を構成する基地局に設置されて回線接続処理を実行する。すなわち交換機３は、携帯電話２Ａ又は２Ｂ等からの接続要求により、この接続要求に係る電話番号を交換制御部４により解析して回線接続処理を実行し、また回線が接続されると、これらの携帯電話との間で音声データを送受する。
【００２２】
これら一連の処理において、回線接続要求が得られた後、回線を接続するまでの間、接続要求元の携帯電話２Ａ又は２Ｂに接続状況に係る音声データを送出する。交換機３は、このようにして携帯電話２Ａ又は２Ｂに提供する情報として、この携帯電話２Ａ又は２Ｂから通知された番号に、広告番号が付加されている場合、この携帯電話２Ａ又は２Ｂに対して、広告情報管理サーバー６に保持した広告を提供した後、本来の通話対象との間で回線を接続する。またこのときこの広告番号に応じて、ユーザーの所望するジャンルの広告を選択的に携帯電話２Ａ又は２Ｂに提供する。またこのようにして広告を提供した場合には、その後の通話に要する費用を軽減する。
【００２３】
このため広告情報管理サーバー６は、このようにして携帯電話２Ａ、２Ｂに提供する複数種類の広告の情報をジャンル毎に分類して記録して保持し、交換機３の制御により、保持した広告の情報を交換機３に出力する。ここでこの実施例においては、このような広告のジャンル分けがユーザーの趣味嗜好により実行され、これにより広告情報管理サーバー６は、パソコンに関する広告、サッカーに関する広告、グルメに関する広告、ゲームに関する広告等に分類して広告の情報を保持するようになされている。なおこのような広告の分類においては、広告主により分類するようにしてもよく、さらには広告提供対象の年代、性別等により分類するようにしてもよい。このようにすれば、広告番号による広告選択の幅を種々に設定することができ、対象ユーザーに適切に広告を提供することができる。
【００２４】
この実施例においては、このような広告のジャンル分けが広告番号により特定可能に、広告のジャンルに対してそれぞれ広告番号が例えば４桁により設定され、この広告番号を相手電話番号の先頭に付加することにより、広告番号に対応するジャンルの広告を提供するようになされている。なおこのような広告番号においては、相手電話番号の末尾に付加するようにしてもよい。
【００２５】
これに対して課金サーバー５は、交換機３からの指示により、これら携帯電話２Ａ、２Ｂに係るユーザー、広告情報管理サーバー６に保持した広告の広告主に対して、課金処理を実行する。
【００２６】
図１は、このような広告の提供に係る交換制御部４の処理手順を示すフローチャートである。すなわち交換制御部４は、携帯電話２Ａから接続要求が得られると、ステップＳＰ１からステップＳＰ２に移り、この携帯電話２Ａから電話番号を取得する。
【００２７】
交換制御部４は、続くステップＳＰ３においてステップＳＰ２で取得した電話番号を解析し、この電話番号の解析より電話番号の先頭４桁が広告番号であるか否か判断することにより、ユーザーが広告の提供を希望しているか否か判断する。ここで否定結果が得られると、交換制御部４は、ステップＳＰ４に移り、ステップＳＰ２で取得した電話番号により通話対象との間で回線を接続する。またこの回線の接続により通話時間の計測を開始し、通話の終了によりステップＳＰ５に移り、課金サーバー５に対して接続要求に係るユーザーへの通話費用の課金を指示した後、ステップＳＰ６に移ってこの処理手順を終了する。
【００２８】
これらによりこの実施例において、単に相手電話番号の入力により通話する場合にあっては、従来と同様に何ら広告の提供を受けることなく通話できるようになされ、またこの通話に要した費用にあっては、接続要求に係るユーザーに請求されるようになされている。
【００２９】
これに対してユーザーが始めに広告番号を設定して相手電話番号を入力した場合、交換制御部４においては、ステップＳＰ３で肯定結果が得られることにより、ステップＳＰ３からステップＳＰ７に移る。ここで交換制御部４は、広告情報管理サーバー６に広告の提供を指示し、この指示により広告情報管理サーバー６から得られる広告の情報を接続要求に係る携帯電話２Ａ、２Ｂに出力する。
【００３０】
ここでこの実施例においては、広告情報管理サーバー６による分類にそれぞれ対応するように、広告番号が複数種類設定されるようになされ、これにより交換制御部４は、広告番号に応じて、対応するジャンルに属する広告の情報を選択的に広告情報管理サーバー６から取得して携帯電話２Ａ、２Ｂに出力する。すなわち例えば広告番号が０９１１の場合には、パソコンに関する広告の情報を広告情報管理サーバー６から取得して携帯電話２Ａ、２Ｂに出力する。これに対して広告番号が０９１２の場合には、サッカーに関する広告を広告情報管理サーバー６から取得して携帯電話２Ａ、２Ｂに出力する。これに対して広告番号がそれぞれ０９１３、０９１４の場合、グルメに関する広告の情報、ゲームに関する広告の情報を広告情報管理サーバー６から取得して携帯電話２Ａ、２Ｂに出力する。
【００３１】
交換制御部４は、このようにして広告の情報の送出を開始すると、ステップＳＰ７からステップＳＰ８に移り、広告の情報の送出を完了したか否か判断し、ここで否定結果が得られると、ステップＳＰ９に移り、ここで広告の情報を提供している携帯電話２Ａ、２Ｂとの間で回線が途絶えたか否か判断する。ここで肯定結果が得られると、この場合、ユーザーが広告の試聴を中断した場合等であることにより、ステップＳＰ５に移り、それまでの広告の提供に要した費用を広告提供主に課金するように、課金サーバー５に課金を指示した後、ステップＳＰ６に移ってこの処理手順を終了する。
【００３２】
これに対してステップＳＰ９で否定結果が得られると、ステップＳＰ８に戻る。これにより交換制御部４は、ユーザーが広告の提供を指示した場合、この指示に係るジャンルの広告をユーザーに提供し、この広告の提供を終了すると、ステップＳＰ８で肯定結果が得られることにより、ステップＳＰ１０に移る。ここで交換制御部４は、相手電話番号に係る通話対象との間で回線を接続する。またこの回線の接続により通話時間の計測を開始し、通話の終了によりステップＳＰ５に移り、課金サーバー５に対して接続要求に係るユーザーと広告主とへの通話費用の課金を指示した後、ステップＳＰ６に移ってこの処理手順を終了する。
【００３３】
なおこの通話費用の課金にあっては、一定時間以下の範囲に限って、この通話対象との間の通話に要した費用を全額又は一定割合を広告主が負担する場合等、種々の設定が考えられる。これらによりこの実施例では、単に、広告番号を付加して相手電話番号を入力するだけで、広告の試聴を条件に通信費用を軽減するシステムを携帯電話から利用できるようになされている。
（２）実施例の動作
以上の構成において、この通話システム１において、例えば携帯電話２Ａのユーザーが慌てて携帯電話２Ｂのユーザーに電話する場合等にあっては、単にこの携帯電話２Ｂの電話番号により携帯電話２Ａを操作することにより、この携帯電話２Ｂの電話番号が交換機３に通知され、この交換機３による回線接続処理により、携帯電話２Ｂとの間で回線が接続される。これによりこの通話システム１では、従来の携帯電話に係る操作により所望する通話対象と通話することができるようになされている。
【００３４】
これに対して例えば携帯電話２Ａのユーザーが慌てていないような場合等であって、このユーザーが始めに広告番号を設定して携帯電話２Ｂの電話番号により通話を指示した場合、この広告番号と携帯電話２Ｂの電話番号とによる番号が携帯電話２Ａから交換機３に通知され、この広告番号により対応する広告が携帯電話２Ａに提供される。またこの広告の提供が完了すると、携帯電話２Ｂとの間で回線が接続され、通話の終了により、通話に要した費用の全部又は一部をこの広告の広告主が負担するように、課金処理が実行される。
【００３５】
これにより携帯電話２Ａのユーザーにおいては、単に相手電話番号の先頭に広告番号を設定するだけの簡易な操作により、広告の試聴を条件に通信費用を軽減するシステムを利用することができる。これによりこの実施例においては、相手電話番号に所定の番号が付加されている場合に広告を提供し、この広告の試聴を条件に相手電話番号に係る回線を接続して費用の一部を負担することにより、広告の試聴を条件に通信費用を軽減するシステムに関して、一般家庭の電話、携帯電話等からでも簡易な操作によりこのシステムを利用することができるようになされている。
【００３６】
しかしてこのようにして提供される広告に関して、例えばユーザーがグルメに関する広告を希望する場合には、このグルメに関する情報の提供を指示する広告番号の入力により、この通話システム１においては、広告情報管理サーバー６に保持された複数種類の広告から、グルメに分類される広告が選択されてユーザーに提供される。
【００３７】
この実施例においては、何ら興味の無いような広告を無理に試聴して通話するような状況を有効に回避することができ、さらには広告を楽しんで通話の費用を軽減し得、これにより従来のこの種のシステムに比してユーザーによる使い勝手を一段と向上することができる。また広告主側においては、このようにユーザーの通話の費用を負担して、費用対効果の高い広告を展開することができる。
【００３８】
（３）実施例の効果
以上の構成によれば、相手電話番号に所定の番号が付加されている場合に広告を提供し、この広告の試聴を条件に相手電話番号に係る回線を接続して費用の一部を負担することにより、広告の試聴を条件に通信費用を軽減するシステムに関して、携帯電話からでも簡易な操作によりこのシステムを利用する。
【００３９】
またこのような広告を複数種類用意し、広告番号に応じて、対応する広告の情報を提供することにより、何ら興味の無いような広告を無理に試聴して通話するような状況を有効に回避することができ、さらには広告を楽しんで通話の費用を軽減し得、これにより従来のこの種のシステムに比してユーザーによる使い勝手を一段と向上することがきる。また広告主側においては、このようにユーザーの通話の費用を負担して、費用対効果の高い広告を展開することができる。
【実施例２】
【００４０】
なお上述の実施例においては、広告の提供を条件に通話時間に係る通話の費用を軽減する場合について述べたが、本発明はこれに限らず、通話時間と無関係の通話の費用であるいわゆる基本料金について低減するようにしてもよい。
【００４１】
また上述の実施例においては、携帯電話に係る通話システムに本発明を適用する場合について述べたが、本発明はこれに限らず、一般家庭からの電話機による通話システムに適用する場合、さらにはいわゆるＩＰ電話に係る通話システムに適用する場合等にも広く適用することができる。
【００４２】
また上述の実施例においては、広告番号に応じて対応する広告を提供する場合について述べたが、本発明はこれに限らず、接続要求の電話番号から特定されるユーザーに関する情報により、このユーザーに適した広告を選択して提供するようにしてもよい。
【産業上の利用可能性】
【００４３】
本発明は、広告提供装置及び広告提供方法に関し、例えば電話回線を介して広告を提供する場合に適用することができる。
【図面の簡単な説明】
【００４４】
【図１】本発明の実施例に係る通話システムにおける交換制御部の処理手順を示すフローチャートである。
【図２】本発明の実施例に係る通話システムを示すブロック図である。
【符号の説明】
【００４５】
１……通話システム、２Ａ、２Ｂ……携帯電話、３……交換機、４……交換制御部、５……課金サーバー、６……広告情報管理サーバー
【図１】
2005159590.tif 000003
【図２】
2005159590.tif 000004